【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
ディジタルイメージプロジェクターであって、
複数の光変調組み立て品、
各々の光変調組み立て品が、
照明ビームを提供するように構成された少なくとも一つのレーザー光源、
光をそれの入射角に従って透過させる及び反射させるように処理されたコートされた表面、並びに、
マイクロミラーのアレイを具備する空間光変調器
を具備すること、
前記光変調組み立て品において前記コートされた表面は、前記空間光変調器に向かって前記照明ビームを反射させる又は透過させるように構成されたものであること、並びに、
前記光変調組み立て体において前記空間光変調器における各々のマイクロミラーは、前記照明ビームを変調するように並びに前記コートされた表面へ逆戻りに及び対応する光変調組み立て品の外に出力された変調された光を向け直すように選択的に作動可能なものであること、前記コートされた表面が前記空間光変調器からの前記変調された光から前記空間変調器への入射光を分離するように配置されたものであること、並びに、
光をそれの波長に従って選択的に透過させる又は反射させるように処理された及びディスプレイの表面への投射のための投射光学部品に向かって前記複数の光変調組み立て品の各々からの前記出力された変調された光を向けるように構成された複数の表面を具備する二色性のコンバイナー
を具備する、ディジタルイメージプロジェクター。
【請求項２】
ディジタルイメージプロジェクターであって、
複数の光変調組み立て品、
各々の光変調組み立て体が、
照明ビームを提供するように構成された少なくとも一つのレーザー光源、及び、
マイクロミラーのアレイを具備する空間光変調器
を具備すること、
各々のマイクロミラーが前記照明ビームを変調するように及び対応する光変調組み立て品の外に出力された変調された光を向け直すように選択的に作動可能なものであること、並びに、
光をそれの波長に従って選択的に透過させる又は反射させるように処理された及びディスプレイの表面への投射のための投射光学部品に向かって前記複数の光変調組み立て品の各々からの前記出力された変調された光を向けるように構成された複数の表面を具備する二色性のコンバイナー
を具備する、ディジタルイメージプロジェクター。
【手続補正２】
【補正対象書類名】明細書
【補正対象項目名】００９０
【補正方法】変更
【補正の内容】
【００９０】
発明は、それのある一定の好適な実施形態への特定の参照と共に詳細に記載されてきたものであるが、しかし、変形及び変更が、発明の主旨及び範囲内で果たされることができることは、理解されることになる。例えば、レーザーアレイが、詳細な実施形態において記載される場合には、他のソリッドステートの発光性の構成部品は、代替品として使用されることができると思われる。レンズ及び他の光学的な構成部品を支持することは、また、各々の光路に追加されることがある。ここに示された様々な実施形態において、均一化又は光の統合及びリレーをすることの順序は、効果における顕著な差無しに逆にされることができる。
［付記］
付記（１）：
ディジタルイメージプロジェクターであって、
複数の光変調組み立て体、
各々の光変調組み立て体が、
照明ビームを提供するように構成された少なくとも一つのレーザー光源、
光をそれの入射角に従って透過させると共に反射させるように処理されたコートされた表面、及び
マイクロミラーのアレイを備える空間光変調器
を備えるものであること、
前記光変調組み立て体において前記コートされた表面が前記空間光変調器に向かって前記照明ビームを方向付けるように構成されたものであること、並びに、
前記光変調組み立て体において前記空間光変調器における各々のマイクロミラーが前記照明ビームを変調するように並びに前記コートされた表面へ逆戻りに及び対応する光変調組み立て体の外に出力された変調された光を方向付けるように選択的に作動可能なものであること、並びに、
光をそれの波長に従って選択的に透過させる又は反射させるように処理された及びディスプレイの表面への投射のための投射光学部品に向かって前記複数の光変調組み立て体の各々からの前記出力された変調された光を方向付けるように構成された複数の表面を備える二色性のコンバイナー
を備える、ディジタルイメージプロジェクター。
付記（２）：
付記（１）に記載のディジタルイメージプロジェクターにおいて、
前記コートされた表面の各々は、ミラーコーティングのデザイン、エッジフィルターコーティングのデザイン、バンドパスフィルターコーティングのデザイン、又はノッチフィルターコーティングのデザインを有する、ディジタルイメージプロジェクター。
付記（３）：
付記（１）に記載のディジタルイメージプロジェクターにおいて、
前記コートされた表面の各々は、それのそれぞれの空間光変調器に対して実質的に平行なものである、ディジタルイメージプロジェクター。
付記（４）：
付記（１）に記載のディジタルイメージプロジェクターにおいて、
前記コートされた表面の各々は、前記照明ビームを反射させるように及び変調された光を透過させるように構成されたものである、ディジタルイメージプロジェクター。
付記（５）：
付記（１）に記載のディジタルイメージプロジェクターにおいて、
前記コートされた表面の各々は、前記照明ビームを透過させるように及び変調された光を反射させるように配されたものである、ディジタルイメージプロジェクター。
付記（６）：
付記（１）に記載のディジタルイメージプロジェクターにおいて、
前記コートされた表面の各々は、法線に相対的な角度の第一の範囲にわたって光を透過させるように及び法線に相対的な角度の第二の範囲にわって光を反射させるように処理されたものであると共に、
前記ディジタルイメージプロジェクターにおいて前記角度の第二の範囲は、前記第一の範囲と比べてより大きいものである、
ディジタルイメージプロジェクター。
付記（７）：
付記（１）に記載のディジタルイメージプロジェクターにおいて、
前記コートされた表面の各々は、法線に相対的に角度の第一の範囲にわたって光を透過させるように及び法線に相対的な角度の第二の範囲にわたって光を反射させるように処理されたものであると共に、
前記ディジタルイメージプロジェクターにおいて前記角度の第一の範囲は、前記第二の範囲と比べてより大きいものである、
ディジタルイメージプロジェクター。
付記（８）：
付記（１）に記載のディジタルイメージプロジェクターにおいて、
各々のレーザー光組み立て体は、二つの直交する状態の間で光の偏光を交替させるように構成された並びにそれぞれの照明ビームの経路におけるそれぞれの少なくとも一つのレーザー光源及びそれぞれのコートされた表面の間に位置させられるように構成された偏光回転子をさらに備えると共に、
前記ディジタルイメージプロジェクターにおいて前記ディジタルイメージプロジェクターは、立体視的なディジタルイメージプロジェクターである、
ディジタルイメージプロジェクター。
付記（９）：
付記（８）に記載のディジタルイメージプロジェクターにおいて、
前記コートされた表面及び前記二色性のコンバイナーの表面は、動作中の角度及び波長にわたって前記二つの直交する状態の間における位相の差を最小にする、ディジタルイメージプロジェクター。
付記（１０）：
付記（９）に記載のディジタルイメージプロジェクターにおいて、
前記二つの直交する状態の間における位相の差は、２０度と比べてより少ないものである、ディジタルイメージプロジェクター。
付記（１１）：
付記（８）に記載のディジタルイメージプロジェクターにおいて、
前記二つの直交する状態の間における位相の差が少なくとも部分的に２０度と比べてより少ないものであることを引き起こすように構成された補償材料をさらに備える、ディジタルイメージプロジェクター。
付記（１２）：
付記（８）に記載のディジタルイメージプロジェクターにおいて、
前記偏光回転子は、回転可能なものである、ディジタルイメージプロジェクター。
付記（１３）：
付記（８）に記載のディジタルイメージプロジェクターにおいて、
前記偏光回転子は、反射性の部分を有するシャッターである、
ディジタルイメージプロジェクター。
付記（１４）：
付記（８）に記載のディジタルイメージプロジェクターにおいて、
前記コートされた表面及び前記二色性のコンバイナーの表面は、透過させられた及び反射させられた光の偏光の状態を実質的に保存する、ディジタルイメージプロジェクター。
付記（１５）：
ディジタルイメージプロジェクターであって、
複数の光変調組み立て体、
各々の光変調組み立て体が、
照明ビームを提供するように構成された少なくとも一つのレーザー光源、及び、
マイクロミラーのアレイを備える空間光変調器
を備えるものであること、
各々のマイクロミラーが前記照明ビームを変調するように及び対応する光変調組み立て体の外に出力された変調された光を再度方向付けるように選択的に作動可能なものであること、並びに、
光をそれの波長に従って選択的に透過させる又は反射させるように処理された及びディスプレイの表面への投射のための投射光学部品に向かって前記複数の光変調組み立て体の各々からの前記出力された変調された光を方向付けるように構成された複数の表面を備える二色性のコンバイナー
を備える、ディジタルイメージプロジェクター。
付記（１６）：
付記（１５）に記載のディジタルイメージプロジェクターにおいて、
前記二色性のコンバイナーは、二色性の薄膜でコートされたプレートを備える、ディジタルイメージプロジェクター。
付記（１７）：
付記（１５）に記載のディジタルイメージプロジェクターにおいて、
各々のレーザー光組み立て体は、二つの直交する状態の間における光の偏光を交替するように構成された並びにそれぞれの照明ビームの経路におけるそれぞれの少なくとも一つのレーザー光源及びそれぞれの空間光変調器の間に位置させられるように構成された偏光回転子をさらに備えると共に、
前記ディジタルイメージプロジェクターにおいて前記ディジタルイメージプロジェクターは、立体視的なディジタルイメージプロジェクターである、
ディジタルイメージプロジェクター。
付記（１８）：
付記（１７）に記載のディジタルイメージプロジェクターにおいて、
前記二色性のコンバイナーは、透過させられた及び反射させられた光の偏光状態を実質的に保存する、ディジタルイメージプロジェクター。
付記（１９）：
付記（１５）に記載のディジタルイメージプロジェクターにおいて、
前記投射光学部品は、２．５：１と比べてより大きいバックフォーカス対焦点距離の比を備えた投射レンズを含む、ディジタルイメージプロジェクター。
付記（２０）：
付記（１７）に記載のディジタルイメージプロジェクターにおいて、
前記コートされた表面及び前記二色性のコンバイナーの表面は、動作中の角度及び波長にわたって前記二つの直交する状態の間における位相の差を最小にすると共に、
前記ディジタルイメージプロジェクターにおいて前記二つの直交する状態の間における位相の差は、２０度と比べてより少ないものである、
ディジタルイメージプロジェクター。
付記（２１）：
付記（１７）に記載のディジタルイメージプロジェクターにおいて、
前記コートされた表面及び前記二色性のコンバイナーの表面は、動作中の角度及び波長にわたって前記二つの直交する状態の間における位相の差を最小にすると共に、
前記ディジタルイメージプロジェクターにおいて前記二つの直交する状態の間における位相の差は、実質的にゼロ度である、
ディジタルイメージプロジェクター。
付記（２２）：
付記（１７）に記載のディジタルイメージプロジェクターにおいて、
各々のレーザー光源からの直交する偏光状態の両方の全部の光のスループットは、実質的に等しいものである、ディジタルイメージプロジェクター。